(57)【要約】【課題】操作性よく効率的に人体の表面をマッサージすることができるマッサージ具を提供することにある。【解決手段】  マッサージ具１００は、柄１０と、柄１０に設けられた第１の回転軸１４と、柄１０に設けられた第２の回転軸１６と、第１の回転軸１４に回転自在に取り付けられた第１のローラ体２０と、第２の回転軸１６に回転自在に取り付けられた第２のローラ体３０と、を含む。柄１０は、把持部１２を含む。第１のローラ体２０と第２のローラ体３０とは、隣り合う位置に空間を置いて離間して設けられ、第１のローラ体２０の第２のローラ体３０側の端面は、把持部１２から離れるにしたがって、第２のローラ体３０と離れる方向に傾斜し、第２のローラ体３０の第１のローラ体２０側の端面は、把持部１２から離れるにしたがって、第１のローラ体２０と離れる方向に傾斜している。【選択図】図１
2011041718.tif 000002
【特許請求の範囲】
【請求項１】
把持部を有するマッサージ具であって、
基体と、
前記基体に設けられた第１の回転軸と、
前記基体に設けられた第２の回転軸と、
前記第１の回転軸に回転自在に取り付けられた第１のローラ体と、
前記第２の回転軸に回転自在に取り付けられた第２のローラ体と、を含み、
前記第１のローラ体と前記第２のローラ体とは、隣り合う位置に離間して設けられ、
前記第１のローラ体の前記第２のローラ体側の端面は、前記マッサージ具の押し出し方向にいくにしたがって、前記第２のローラ体と離れる方向に傾斜し、
前記第２のローラ体の前記第１のローラ体側の端面は、前記マッサージ具の押し出し方向にいくにしたがって、前記第１のローラ体と離れる方向に傾斜しているマッサージ具。
【請求項２】
請求項１において、
前記第１のローラ体は、多角形の第１の板状体が複数重ねられた状態で連結体により連結されて構成され、
前記複数の第１の板状体は、隣り合う前記第１の板状体と回転ずれをさせた状態で設けられており、
前記第２のローラ体は、多角形の第２の板状体が複数重ねられた状態で連結体により連結されて構成され、
前記複数の第２の板状体は、隣り合う前記第２の板状体と回転ずれをさせた状態で設けられているマッサージ具。
【請求項３】
請求項１または２において、
前記把持部は、前記基体の一部を構成しており、
前記マッサージ具の押し出し方向とは、前記把持部から離れる方向であるマッサージ具。
【請求項４】
請求項１または２において、
前記基体の上に設けられたカバー体を有し、
前記カバー体は、前記把持部を構成しているマッサージ具。
【発明の詳細な説明】
【技術分野】
【０００１】
本発明は、人体の表面をマッサージするためのマッサージ具に関する。
【背景技術】
【０００２】
従来、複数のローラを用いて人体の表面をマッサージするためのマッサージ具が提案されている（特許文献１参照）。特許文献１には、隣接した２つのローラを傾斜した状態で設けたマッサージ具が記載されている。
【先行技術文献】
【特許文献】
【０００３】
【特許文献１】特開２００５−２０５０７３号公報
【発明の概要】
【発明が解決しようとする課題】
【０００４】
本発明の目的は、操作性よく効率的に人体の表面をマッサージすることができるマッサージ具を提供することにある。
【課題を解決するための手段】
【０００５】
本発明のマッサージ具は、
把持部を有するマッサージ具であって、
基体と、
前記基体に設けられた第１の回転軸と、
前記基体に設けられた第２の回転軸と、
前記第１の回転軸に回転自在に取り付けられた第１のローラ体と、
前記第２の回転軸に回転自在に取り付けられた第２のローラ体と、を含み、
前記第１のローラ体と前記第２のローラ体とは、隣り合う位置に空間を置いて離間して設けられ、
前記第１のローラ体の前記第２のローラ体側の端面は、前記マッサージ具の押し出し方向にいくにしたがって、前記第２のローラ体と離れる方向に傾斜し、
前記第２のローラ体の前記第１のローラ体側の端面は、前記マッサージ具の押し出し方向にいくにしたがって、前記第１のローラ体と離れる方向に傾斜している。
【０００６】
本発明のマッサージ具は、柄を押すようにして使用するものである。すなわち、第１のローラ体および第２のローラ体が、第１および第２のローラ体の端面の間隔が広がっている側の部分が人体の表面に接し、回転にしたがって、狭い側が接していくこととなる。本願発明者は、第１端面と第２端面の間隔が広がっている側から狭い側へと人体の表面が接することとなることで、人体の表面が第１のローラ体および第２のローラ体の間に挟まれて引き上げられることを見出した。すなわち、このマッサージ具によれば、肌をつり上げる効果があり、マッサージ効果が向上する。さらに、マッサージ具の第１端面と第２端面との間隔が柄から離れるにしたがって広がっているため、柄を押す方向に動かせばよいため、操作性が向上する。特に、顔のマッサージをする際に、柄を下にして、上に押し上げて使用するため、操作性が向上する。
【０００７】
本発明において、
前記第１のローラ体は、多角形の第１の板状体が複数重ねられた状態で連結体により連結されて構成され、
前記複数の第１の板状体は、隣り合う前記第１の板状体と回転ずれをさせた状態で設けられており、
前記第２のローラ体は、多角形の第２の板状体が複数重ねられた状態で連結体により連結されて構成され、
前記複数の第２の板状体は、隣り合う前記第２の板状体と回転ずれをさせた状態で設けられていることができる。
【０００８】
本発明のマッサージ具によれば、第１および第２のローラ体が複数の板状体からなることで、内側の板状体間で肌をつり上げた後に、続いてその外側の板状体が肌をつり上げることとなる。したがって、一つの場合よりも、つり上げられる感覚が増すこととなる。
【０００９】
本発明において、前記把持部は、前記基体の一部を構成しており、前記マッサージ具の押し出し方向とは前記把持部から離れる方向であることができる。
【００１０】
本発明において、前記基体の上に設けられたカバー体を有し、前記カバー体は、前記把持部を構成していることができる。
【図面の簡単な説明】
【００１１】
【図１】第１の実施の形態に係るマッサージ具を模式的に示す図である。
【図２】柄の構成例を模式的に示す図である。
【図３】第１のローラ体を模式的に示す図である。
【図４】図３におけるＡ１方向からみた図である。
【図５】比較例を示す図面である。
【図６】比較例を示す図面である。
【図７】第２の実施の形態に係るマッサージ具を模式的に示す図である。
【図８】第２の実施の形態に係る構成要素を説明するための図である。
【発明を実施するための形態】
【００１２】
以下、本発明の好適な実施の形態について図面を参照しながら説明する。
【００１３】
１．第１の実施の形態
マッサージ具１００は、図１に示すように、基体としての柄１０と、第１のローラ体２０と、第２のローラ体３０とを含む。
【００１４】
柄１０は、図２に示すように、マッサージ具１００を使用する者が手で持つところの把持部１２を含み、把持部１２の逆側の部分に第１の回転軸１４および第２の回転軸１６が設けられている。第１の回転軸１４および第２の回転軸１６は、それぞれ向かい合うように設けられ、先端にいくにしたがって把持部１２から離れるように傾いて設けられている。第１の回転軸１２の延長線と第２の回転軸１６の延長線とのなす角度Ａ１は、後述するように、第１のローラ体２０の第１端面２２ａと第２のローラ体３０の第２端面３２ａとの傾き度合いによって決まる。
【００１５】
第１のローラ体２０は、第１の回転軸１４に回転自在に取り付けられている。第１のローラ体２０の柄に対する取り付け方として、たとえば第１のローラ体２０の中心に穴を設けその穴に第１の回転軸１４を通し、第１の回転軸１４の端にストッパーを設けることができる。第１のローラ体２０は、図３に示すように、第１の板状体２２が複数重ねられた状態で構成されることができる。複数の第１の板状体２２を一体化させて構成させるために、軸状の連結体２４により連結することができる。第１の板状体２２は、多角形の形状を有し、図４に示すように、隣り合う第１の板状体２２と回転ずれ（たとえば約４５度回転）をさせた状態で設けられることができる。
【００１６】
第２のローラ体３０は、第２の回転軸１６に回転自在に取り付けられている。第２のローラ体３０の柄に対する取り付け方として、たとえば第２のローラ体３０の中心に穴を設けその穴に第２の回転軸１６を通し、第２の回転軸１６の端にストッパーを設けることができる。第２のローラ体３０は、第２の板状体３２が複数重ねられた状態で構成されている。複数の第２の板状体３２を一体化させて構成させるために、連結体３４により連結することができる。第２の板状体３２は、多角形の形状を有し、隣り合う第２の板状体３２と回転ずれ（たとえば約４５度回転）をさせた状態で設けられることができる。
【００１７】
第１の板状体２２および第２の板状体３２の大きさは、特に限定されず、たとえば平均径が１ｃｍ〜３ｃｍとすることができる。
【００１８】
第１のローラ体２０と第２のローラ体３０とは、隣り合う位置に離間して設けられている。第１のローラ体２０と第２のローラ体３０との間隔Ｗ１は、最も狭い部分において、たとえば１〜１０ｍｍ、好ましくは１〜５ｍｍ、より好ましくは１〜３ｍｍとすることができる。第１のローラ体２０の第２のローラ体３０側の第１端面２２ａは、柄１０の把持部１２から離れるにしたがって（マッサージ具の押し出し方向にいくにしたって）、第２のローラ体３０と離れる方向に傾斜している。第２のローラ体３０の第１のローラ体２０側の第２端面３２ａは、柄１０の把持部１２から離れるにしたがって（マッサージ具の押し出し方向にいくにしたがって）、第１のローラ体２０と離れる方向に傾斜している。
【００１９】
第１端面２２ａの延長線と、第２端面３２ａの延長線とのなす角Ａ２は、たとえば、１０度から５０度、好ましくは２０度から４０度とすることができる。第１の回転軸１４の延長線と第２の回転軸１６の延長線とのなす角は、第１端面２２ａの延長線と第２端面３２ａの延長線とのなす角が所望の角となるように考慮して決められる。
【００２０】
第１の板状体２０および第２の板状体３０は、たとえば熱可塑性ゴム（ポリウレタンなど）などからなることができる。
【００２１】
以下、マッサージ具１００の使用方法および作用効果について説明する。
【００２２】
本実施の形態に係るマッサージ具１００は、柄１０を押すようにして使用するものである。すなわち、第１のローラ体２０および第２のローラ体３０が、第１および第２のローラ体２０，３０の端面の間隔が広がっている側の部分が人体の表面に接し、回転にしたがって、狭い側が接していくこととなる。本願発明者は、第１端面２２ａと第２端面３２ａの間隔が広がっている側から狭い側へと人体の表面が接することとなることで、人体の表面が第１のローラ体２０および第２のローラ体３０の間に挟まれて、その挟まれた部分が引き上げられることを見出した。すなわち、このマッサージ具１００によれば、肌をつり上げる効果があり、マッサージ効果（血行の促進効果を含む）が向上する。さらに、マッサージ具１００の第１端面２２ａと第２端面３２ａとの間隔が柄１０から離れるにしたがって広がっているため、柄を押す方向に動かせばよいため、操作性が向上する。特に、顔のマッサージをする際に、柄を下にして、上に押し上げて使用するため、操作性が向上する。
【００２３】
なお、図５に示すように、２つのローラ体１２０，１３０の間隔がない部分がある場合には、人体の表面がローラ１２０，１３０間に挟まれて、その挟まれた部分が引き上げられることがなく、本実施の形態に係る作用効果を奏することができない。また、２つのローラ体１２０，１３０の間にさらに別のローラ体１４０を設けた場合にも、２つのローラ体１２０，１３０間に人体の表面が挟まれて、その挟まれる部分が引き上げられることがないため、本実施の形態に係る作用効果を奏することができない。また、柄１２２の方に引く方向でマッサージ具を動かす必要があり、操作性が悪い。
【００２４】
さらに、第１および第２のローラ体２０，３０が複数の板状体からなり、隣り合う板状体が回転ずれをさせて状態で設けられることとで、内側の板状体間で肌をつり上げた後に、続いてその外側の板状体が肌をつり上げることとなる。したがって、一つの場合よりも、つり上げられる感覚が増すこととなる。
【００２５】
板状体が方形（たとえば正方形）であることで、板状体が回転することで、１つの回転の間で、第１のローラ体２０と第２のローラ体３０との間隔を変えることができ、単調ではなく、挟まれる強さに強弱が生じるためマッサージ効果を奏することができる。また、板状体が方形であると、角張っているところがあるため、人体の表面に刺激を与えることができる。
【００２６】
２．第２の実施の形態
図７および図８に第２の実施の形態に係るマッサージ具を模式的に示す。
【００２７】
第２の実施の形態に係るマッサージ具２００は、図７に示すように、基体２１０に第１のローラ体２２０と第２のローラ体２３０のセットが複数セット設けられていてもよい。第１のローラ体２２０および第２のローラ体２３０は、基体２１０に設けられた穴２１８に基体２１０から伸びる回転軸２１４を介して設けることができる。基体２１０の上に、カバー体２４０を設け、このカバー体２４０を把持部としてもよい。カバー体２４０には、手の載置エリア（図示せず）が記載されていてもよい。この載置エリアは、手の形状に沿って凹んでいてもよく、手の先側が押し出す方向となる。なお、押し出し方向を表示する矢印２５０を設けておくことができる。
【００２８】
第１のローラ体２２０および第２のローラ体２３０の詳細な構成は、第１の実施の形態と同様であるので、詳細な説明を省略する。
【００２９】
第２の実施の形態に係るマッサージ具２００においても、第１の実施の形態に係るマッサージ具１００と同様の作用効果を奏することができる。
【００３０】
第２の実施の形態に係るマッサージ具２００によれば、頭皮のマッサージをするのに特に有用である。
【００３１】
本実施の形態は、本発明の範囲内において種々の変形が可能である。
【産業上の利用可能性】
【００３２】
人体の表面のマッサージの際に使用されるマッサージ具に適用できる。
【符号の説明】
【００３３】
１０    柄
１２    把持部
１４    第１の回転軸
１６    第２の回転軸
２０    第１のローラ体
２２    第１の板状体
２４    連結体
３０    第２のローラ体
３２    第２の板状体
３４    連結体
１００  マッサージ具
２００  マッサージ具
２１０  基体
２１４  回転軸
２１８  穴
２２０  第１のローラ体
２３０  第２のローラ体
２４０  カバー体
【図１】
2011041718.tif 000003
【図２】
2011041718.tif 000004
【図３】
2011041718.tif 000005
【図４】
2011041718.tif 000006
【図５】
2011041718.tif 000007
【図６】
2011041718.tif 000008
【図７】
2011041718.tif 000009
【図８】
2011041718.tif 000010